(57)【要約】【課題】前記不都合を解消するために、内容量を減少させることなく女性であっても把持しやすいトリガー式の噴射ノズルを備えたエアゾール容器を提供する。【解決手段】  容器本体２内に充填した内容液２８を噴射させる噴射手段４３を備えた噴射ノズル４を容器本体２の上端部に備えたエアゾール容器１である。容器本体２の上部に容器本体２の下部よりも小径であって前記噴射手段４３を作動しうる状態で噴射手段４３に指を掛けて他の指で容器本体２を把持しうる把持部２４を有する。把持部２４は、直径が４５ｍｍ〜６０ｍｍの範囲であって、長さが１４ｍｍ〜３９ｍｍ未満の範囲に形成されている。【選択図】図１
2016210444.tif 000002
【特許請求の範囲】
【請求項１】
容器本体内に充填した内容液を噴射させる噴射手段を備えた噴射ノズルを前記容器本体の上端部に備えたエアゾール容器において、
前記容器本体の上部に前記容器本体の下部よりも小径であって前記噴射手段を作動しうる状態で前記噴射手段に指を掛けて他の指で前記容器本体を把持しうる把持部を有し、
前記把持部は、直径が４５ｍｍ〜６０ｍｍの範囲であって、長さが１４ｍｍ〜３９ｍｍ未満の範囲にあることを特徴とするエアゾール容器。
【請求項２】
請求項１記載のエアゾール容器であって、
前記容器本体は、上端部において缶胴の開口端と天蓋の周縁とを巻締めることにより形成された巻締め部を有し、
該巻締め部は、前記把持部より大径であることを特徴とするエアゾール容器。
【請求項３】
請求項１または２に記載のエアゾール容器であって、
前記容器本体は、前記把持部の下端と、前記容器本体の下部にある把持部より大径な大径部の上端との間に、把持部の直径から大径部の直径まで次第に拡径する拡径部を有することを特徴とするエアゾール容器。
【請求項４】
請求項３記載のエアゾール容器であって、
前記拡径部は、複数の段階で拡径されることで段差部として形成されていることを特徴とするエアゾール容器。
【請求項５】
請求項１〜４のいずれか１項に記載のエアゾール容器であって、
前記噴射手段は、トリガー式であることを特徴とするエアゾール容器。
【発明の詳細な説明】
【技術分野】
【０００１】
本発明は、容器本体内に充填した内容液を噴射させる噴射ノズルを備えたエアゾール容器に関する。
【背景技術】
【０００２】
従来、容器本体内に充填した内容液を噴射させる噴射ノズルを備えたエアゾール容器としては、例えば、噴射ノズルの作動手段であるトリガーを引くことによって容器本体内に充填した内容液を噴射させるトリガー式の噴射ノズルを備えたエアゾール容器等が知られている。このトリガー式噴射ノズルを備えたエアゾール容器６１は、図４に示すように、円筒形の胴部６２と天蓋６３と底蓋６４とからなる容器本体６５と、天蓋６３の開口部に形成されたビード部に係合されたバルブ（図示せず）と、該バルブの外周に嵌合するトリガー式噴射ノズル６６とからなる。このエアゾール容器６１は、親指と中指等とで容器本体６５を把持し、トリガー部６７に人差し指をかけトリガーを引くことで内容液を噴射させる。
【先行技術文献】
【特許文献】
【０００３】
【特許文献１】実公昭６２−０４４７６４号公報
【発明の概要】
【発明が解決しようとする課題】
【０００４】
しかしながら、このエアゾール容器６１は、例えば殺虫剤等のように比較的安価な内容液を、多量に充填することが多いので、必要な内容量を確保するために容器本体６５の外径を太くする必要がある。そのため、エアゾール容器６１を使用するためにこれを手で把持したときは、図４に示すように、容器本体６５の径が太いために親指と中指等とが広がった状態で容器本体６５を把持しなければならず、それに伴ってトリガー部６７に人差し指が届きにくくなりトリガーが引きにくいという不都合が生じる。
【０００５】
特に、このエアゾール容器６１は男性に比べ、手が小さく握力が弱い女性にとって、使用しにくいという不都合があった。
【０００６】
この不都合を解決するためには、容器本体の外径を細くすることが考えられる。
【０００７】
しかし、単に容器本体の外径を細くすると、必要な内容量を確保するためには、容器本体の高さを高くする必要があるため、製品の座りが悪くなる。また、従来の容器の製造ラインとは個別のラインを設ける必要が生じ、かつ、輸送時の梱包や販売時の陳列にも影響を与える。
【０００８】
逆に、容器本体の高さが高くならないようにするために内容量を少なくすると、化粧品等のように高価で消費量の少ないものは問題がないが、殺虫剤等のように安価で消費量の多いものに使用したときは、すぐに内容液が消費されてしまうので、コストが高くなってしまうという不都合が生じる。
【０００９】
したがって、本発明は、前記不都合を解消するために、内容量を減少させることなく女性であっても把持しやすい噴射ノズルを備えたエアゾール容器を提供することを目的とする。
【課題を解決するための手段】
【００１０】
かかる目的を達成するために、本発明のエアゾール容器は、噴射手段を備えた噴射ノズルを前記容器本体の上端部に備えたエアゾール容器において、前記容器本体の上部に前記容器本体の下部よりも小径であって前記噴射ノズルを作動しうる状態で前記噴射手段に指を掛けて他の指で前記容器本体を把持しうる把持部を有し、前記把持部は、直径が４５〜６０ｍｍの範囲であって、長さが１４〜３９ｍｍの範囲にあることを特徴とする。
【００１１】
一般に、親指から中指までで把持した角度が１８０度（周長の５０％）以上であれば、理論上では把持できるが、上述したとおり、この状態では、親指と中指等とが広がってしまうため、トリガーのような噴射ノズル作動手段の場合、人差し指が届きにくくなりトリガーが引きにくい。
【００１２】
これに対し、出願人の検討によれば、第１に親指から中指までで把持した角度が２７０度以上であれば、トリガーの引きにくさを解消できることが判明し、逆に、３６０度を超え 親指と中指とが重なるほど握りこみすぎると、却ってトリガーが引きにくくなることが判明した。
【００１３】
第２に、女性の場合、容器本体を握るために用いる親指から中指の長さは、平均１４２ｍｍであることも知見した。
【００１４】
以上の結果から、女性の場合には、把持部の周長が約１４２〜１８９ｍｍの範囲、直径でいえば約４５〜６０ｍｍの範囲であれば、トリガーの引きにくさを解消できる。
【００１５】
さらに、第３に、容器本体を把持する際には、親指以外では、主に中指であり、補助として薬指、小指で把持するところ、女性の場合、平均で中指の幅は約１４ｍｍであり、中指と薬指の合わさった幅は平均で約２７ｍｍであり 、小指まで含めた幅は、平均で約３９ｍｍであることが判明した。
【００１６】
したがって、本発明のエアゾール容器によれば、前記容器本体の上部に、直径が４５〜６０ｍｍの範囲であって、長さが１４〜３９ｍｍの範囲にある把持部を設けているため、女性であっても、前記トリガーに指を掛けて容易に作動しうる状態で、他の指で前記容器本体を把持することができる。
【００１７】
本発明の把持部は、側面視において直線状になるような同一径である必要はないが、少なくとも中指がかかる部位は同一径が好ましく、その部位の長さは少なくとも１４ｍｍ以上であることが好ましい。
【００１８】
また、前記容器本体の下部は前記把持部に対して大径になっているので、必要な量の内容液を確保することができる。
【００１９】
また、本発明のエアゾール容器において、前記容器本体は、上端部において缶胴の開口端と天蓋の周縁とを巻締めることにより形成された巻締め部を有し、該巻締め部は、前記把持部より大径であることが好ましい。
【００２０】
この構成によれば、把持部の上部に把持部以上の径の巻締め部があるため、親指及び中指の人差し指よりの側面に対して、該巻締め部が引っ掛かり、女性であっても容器本体が滑落することを確実に防止することができる。
【００２１】
また、本発明のエアゾール容器において、前記容器本体は、前記把持部の下端と、前記容器本体の下部にある把持部より大径な大径部の上端との間に、把持部の直径から大径部の直径まで次第に拡径する拡径部を有することが好ましい。
【００２２】
この構成によれば、親指と中指等とで容器本体を把持したときに、手の平の手根部 に拡径部が接触することになるため、該手根部に該拡径部が係合し、女性であっても容器本体が滑落することを確実に防止することができる。
【００２３】
また、この拡径部は滑らかな傾斜部であっても、複数の段部で形成されていてもよい。
【図面の簡単な説明】
【００２４】
【図１】本実施形態におけるエアゾール容器の側面図。
【図２】図１に示した缶体の断面図。
【図３】図１のＩＩＩ−ＩＩＩ線断面図
【図４】従来の容器本体にトリガー式噴射ノズルを用いたエアゾール容器の側面図。
【発明を実施するための形態】
【００２５】
本発明の一実施形態を図面に基づいて説明する。
本実施形態のエアゾール容器１は、図１及び図２に示すように、容器本体２と、この容器本体２の上端部に係合されたバルブ３と、この容器本体２の上部に設けられたトリガー式噴射ノズル４とからなる。
【００２６】
図１に示すように、容器本体２は、天蓋２１と胴部２２と底蓋２３とからなる。また、胴部２２は、把持部２４と段差部２５と胴下部２６とからなる。容器本体２は、先ずメッキ鋼板製の缶胴ブランクを両端縁部で重ね合わせて溶接接合することにより高さ１７５ｍｍ、直径６６ｍｍの円筒を形成する。
【００２７】
そして、胴部２２の上端から４６ｍｍの箇所まで段階的に絞り成形を行うことにより、上端から２５ｍｍまでの位置に直径５６ｍｍの把持部２４、下部に直径６６ｍｍの胴下部２６が形成される。そして、把持部２４と胴下部２６との間（具体的には、胴部２２の上部から２５ｍｍ〜４６ｍｍの間）には、上部から順に直径が５７ｍｍ、５９ｍｍ、６２ｍｍの段差部２５が形成される。
【００２８】
また、容器本体２は、図２に示すように、天蓋２１を把持部２４の上端部に二重巻締した巻締め部２７を有しており、該天蓋２１は、把持部２４の上端部より球面状に突出し中央にバルブ３をクリンチするための開口部を有している。
【００２９】
さらに、略半球状に容器内部に凹入するよう形成された底蓋２３を胴下部２６の下端部に二重巻締している。また、この容器本体２は、内容液による腐食を防ぐために、その内部を合成樹脂製塗料でコーティングしている。この容器本体２の内部には、図２に示すように殺虫剤等の内容液２８と、この内容液２８をその圧力により噴射させる噴射剤が充填されている。
【００３０】
バルブ３は、前記天蓋２１の開口部にクリンチされるマウンティングキャップ３１と、その上部に突出しているステム３２と、このステム３２が押し下げられたときに容器本体２内の内容液２８が噴射されるように開口する弁３３と、この弁３３とこれを閉じ方向に付勢するスプリング３４とが内設されたバルブハウジング３５と、このバルブハウジング３５の底部に挿設されているディップチューブ３６とからなる。
【００３１】
トリガー式噴射ノズル４は合成樹脂製であり、図２に示すようにボディー４１とノズル４２とトリガー部４３とから構成される。ボディー４１は、マウンティングキャップ３１のビード３７と係合することにより、容器本体２に固定される。
【００３２】
ノズル４２は、ボディー４１と一体成形されており、ボディー４１との結合部４４はその断面形状が略Ｖ字形に形成されている。また、ノズル４２の先端からその下端部４５まで連通孔４６が設けられており、この下端部４５の連通孔４６にバルブ３のステム３２が挿着されている。
【００３３】
このノズル４２は、結合部４４以外ではボディー４１と連結していないので、Ｖ字形の結合部４４の最下部を支点にして、ノズル４２の先端部分及び下端部４５が上下に揺動自在となっている。
【００３４】
トリガー部４３は、指を掛ける先端部と、ボディー４１の後方に延設される連結部４７と、その連結部４７の後端に設けられた掛止部４８と、先端部の上部でノズル４２の先端部を囲むように設けられた抑止部４９とからなる。
【００３５】
このトリガー部４３は、掛止部４８がボディー４１の後部に掛止されており、これを支点として先端部が上下に揺動自在となっている。また、抑止部４９にはノズル４２の先端部が遊挿されており、トリガー部４３の動きにノズル４２の動きが連動するようになっている。
【００３６】
次に、本実施形態におけるエアゾール容器１の作動について説明する。
【００３７】
使用者がエアゾール容器１を使用する際には、エアゾール容器１を把持し、且つトリガー部４３を引いて内容液２８を噴射することになる。また、エアゾール容器１を使用するときは、片手で操作を行うのが通常である。
【００３８】
具体的には、使用者がエアゾール容器１を使用するときは、図１に示すように、トリガー部４３に人差し指を掛けるとともに、手のひらと親指、中指、薬指とで把持部２４を把持し、同時に小指を段差部２５または胴下部２６に添える。このとき、手の平の手根部に段差部２５の段差が接触するので、滑りにくくなる。
【００３９】
本実施形態においては、把持部２４の直径を５６ｍｍとしており、従来のエアゾール容器よりも小径にしているため、親指と中指との開き具合が図４に示す従来例よりも小さくなる。具体的には、図３に示すように、親指と中指とが缶の全周に対して７５％（角度：２７０度）以上巻きつく。
【００４０】
従って、容器本体２を把持しても人差し指には余裕があり、人差し指で容易にトリガー部４３を引くことできる。
【００４１】
また、把持部２４の上部に把持部２４より大径の巻締め部２７が形成されているので、巻締め部２７が親指及び中指の人差し指側の側面に対して、引っ掛かり、女性であっても容器本体２が滑落することを確実に防止することができる。
【００４２】
ところで、トリガー部４３が引かれると、トリガー部４３の先端部には図２に示す矢印方向に力が加わるが、トリガー部４３は連結部４７を介して掛止部４８によりボディー４１に掛止されているため、前後方向には動かずに下方にのみ動く。
【００４３】
トリガー部４３が下方に動くと、抑止部４９によってノズル４２の先端部が下方に押されるため、結合部４４の下端を支点にしてノズル４２も下方に動くことになる。
【００４４】
このノズル４２の下端部４５にはステム３２が挿着されているため、ノズル４２の下方向の動きによってステム３２も下方に押される。ステム３２が下方に押されると、弁３３が開き、容器本体２の内部が弁３３及びノズル４２内部の連通孔４６を通じて大気に開放されるので、噴射剤Ｇの圧力によって内容液２８がノズル４２より噴射される。
【００４５】
このときエアゾール容器１においては、胴下部２６を６６ｍｍと把持部２４よりも大径にしているため、必要な内容量が確保できる。さらに、容器本体２を全体的に小径にした場合に比較して、内容液２８の内容量を減らさずに容器の高さを低くおさえることができる。
【００４６】
［変形例］
上述の本実施形態は、本発明の一例を示したものであって、本願請求の範囲内であれば適宜変更が可能である。
【００４７】
本実施例では、噴射ノズルを作動させる噴射手段として、好適手段としてトリガー式噴射手段を取り上げ説明してきたが、トリガー式以外の適宜な噴射手段、例えば、プッシュボタン式噴射手段等を用いてもよい。
【００４８】
また、本実施形態では、内容液２８による腐食を防ぐために容器本体２の内部を合成樹脂製塗料でコーティングしているが、内容液によっては無塗装でもよい。また、把持部２４の上端部に、手の当たり感を向上させるためネックイン加工してもよい。
【００４９】
また、本実施形態では把持部２４と胴下部２６との境界の絞りを４段階としているが、これに限らず２段階或いは３段階の絞り形状としてもよく、或いは、把持部２４の形状を胴下部２６から上方に向って徐々に絞ったテーパー状にしてもよい。
【００５０】
また、本実施形態では、把持部２４の直径を５６ｍｍとしたが、把持部２４の直径は、４５〜６０ｍｍの範囲にあればよい。
【００５１】
また、本実施形態では、把持部の缶胴軸方向の長さを２５ｍｍとしたが、把持部２４の長さは、１４〜３９ｍｍの範囲にあればよい。
【００５２】
なお、容器本体２は、前記有底円筒状缶体の開放端に缶蓋を二重巻締めすることにより、いわゆる２ピースの缶体によって形成することができる。
【符号の説明】
【００５３】
１…エアゾール容器、２…容器本体、４…トリガー式噴射ノズル、２１…天蓋、２２…缶胴、２４…把持部、２５…拡径部、２６…胴下部（大径部）、２７…巻締め部、２８…内容液、４３…トリガー。
【図１】
2016210444.tif 000003
【図２】
2016210444.tif 000004
【図３】
2016210444.tif 000005
【図４】
2016210444.tif 000006